(57)【要約】【課題】雌継手金物と雄継手金物に取付部材を係合させて、これら取付部材を型枠の定位置へねじ止めすることで、継手金物のコンクリート型枠への取り付けを簡便な構造で速やかに行える継手金物のコンクリート型枠への取付構造を提供すること。【解決手段】雌継手金物１１をこれに設けた係止溝１２へ取付部材１３の係合部１４を係合させて、コンクリート型枠１の端枠５に設けた受座１５に支持させ、取付部材１３へ端枠５を貫通させた引付ボルト１８をねじ込むことで雌継手金物１１を端枠５へ取付ける構造Ａと、雄継手金物３１の係合部３２をコンクリート型枠１の端枠５に設けた孔３３から外へ出し、この係合部３２に端枠５の外側に設けたガイド３４を進退する取付部材３５の係止溝３６を係合させて、端板５に支持される押付架台３７へ押付ボルト３８を捻じ込み、雄継手金物３１の係合部３２を取付部材３５の係止溝３６へ押し付けさせることで雄継手金物３１を端枠５へ取付ける構造Ｂとを採用すること。【選択図】図２
2007290326.tif 000002
【特許請求の範囲】
【請求項１】
端縁に雌継手金物と雄継手金物がインサートされた製品を成形するコンクリート型枠へ雌継手金物と雄継手金物とを取り付けるコンクリート型枠への継手金物取付構造であって、
雌継手金物の取付構造は、雌継手金物に設けた雄継手金物の係止溝に取付部材の係合部を係合させて、雌継手金物をコンクリート型枠の端枠の内側に設けた受座に支持させ、これに伴い受座に設けた孔に納まる取付部材へ端枠にあけた孔から引付けボルトを螺合させると雌継手金物が端板へ取り付けられ、引付けボルトを取付部材から外すと雌継手金物が端枠から離れるように構成され、
雄継手金物の取付構造は、雄継手金物に設けて雌継手金物の係止溝へ係合させる係合部をコンクリート型枠の端枠にあけた孔から外へ出して、この係合部に端枠の外面に設けたガイドに沿って移動する取付部材に設けた係止溝を係合させ、前記取付部材を端枠の外側に設けた押付架台に押付けボルトを螺合して押えると雄継手金物が端板へ取り付けられ、押付けボルトを外して、取付部材を係止部が雄継手金物の係合部から外れるように移動させると雄継手金物が型枠から外れるように構成されている
ことを特徴とするコンクリート型枠への継手金物取付構造。
【請求項２】
前記コンクリート型枠の端枠の内面に設けて雌継手金物を支持させる受座は、雌継手金物に設けた係止溝の開放側に、この開放に通ずる接合用の空間を形成する形成部材が連設されている
ことを特徴とする請求項１に記載のコンクリート型枠への継手金物取付構造。
【請求項３】
前記雌継手金物の受座に連設する空間の形成部材は、雌継手金物との間に間隙を有して、この間隙に雌継手金物に設けた係止溝を密封するシール部材を装着されている
ことを特徴とする請求項１及び請求項２に記載のコンクリート型枠への継手金物取付構造。
【請求項４】
前記コンクリート型枠の端枠に雄継手金物の係合部より大きい孔をあけて、この孔から係合部を外に出した後、該孔に雄継手金物の中間部に適合する窓孔を有する蓋板を分割構造か、一部を開閉構造に形成して嵌めることで孔を閉塞させ、窓孔と雄継手金物の中間部との隙間は窓孔に装着したシール部材で密封させた
ことを特徴とする請求項１に記載のコンクリート型枠への継手金物取付構造。
【発明の詳細な説明】
【技術分野】
【０００１】
本発明は、成形品の端縁へインサートして成形品の接合を行う継手金物を型枠へ固定する構造に関する。
【背景技術】
【０００２】
従来、コンクリートセグメントを成型する型枠において、端板２４の外側における底部のベース板３２に固定されたガイド金具３３と、ガイド金具３３に保持された係合金具３４と、係合金具３４に形成されたねじ孔にねじ込まれたボールスクリュー３６とから接合金具保持機構３１を構成して、端板２４に形成された凸部４３の切欠部４４に接合金具３を配置させ、ボールスクリュー３６を回転させて、係合金具３４を摺動させ、係合金具３４の係合保持部を接合金具３の係合空間内へ挿入させて係合させ、接合金具３を端板４に保持させる技術と、他方の端板２４の外側における底部のベース板３２に固定されたガイド金具３３と、ガイド金具３３に保持された係合金具５４と、係合金具５４に形成されたねじ孔にねじ込まれたボールスクリュー３６とから雄金具保持機構５３を構成して、端板２４に形成された挿入口６６を通して雄金具５１の係止片部６４が端板２４の外へ出るように配置させ、ボールスクリュー３６を回転させて、係合金具３４を摺動させると、係合金具５４の係合片部６の係止面６３が雄金具５１の係合部５２へ挿入されて係合させ、雄金具５１を端板２４に保持させる技術は知られている。(例えば特許文献１参照) 
【０００３】
しかしながら、係合金具をボールスクリューに支持させて、このボールスクリュー回転させることで係合金具を摺動させ、係合金具に設けた係合保持部を接合金具の係合空間や係合面へ係合させて、接合金具や雄金具を端板に保持させる場合は、金具保持機構が大掛かりなものとなって、しかも、係合金具を接合金具または雄金具へ係合、あるいは離脱させるためには、係合金具を接合金具や雄金具の長さ以上の距離を動かさなければならないという問題点があった。
【０００４】
【特許文献１】特開２０００−６１９２１号
【発明の開示】
【発明が解決しようとする課題】
【０００５】
本発明は前記問題点を解消し、雌継手金物と雄継手金物に取付部材を係合させて、これら取付部材を型枠の定位置へねじ止めすることで、継手金物のコンクリート型枠への取り付けを簡便な構造で速やかに行える継手金物のコンクリート型枠への取付構造を提供することをその課題とする。
【課題を解決するための手段】
【０００６】
前記課題を解決するため本発明に係る継手金物をコンクリート製品へ取付ける構造は、下記の構成を採用することを特徴とする。
【０００７】
請求項１に係る発明は、端縁に雌継手金物と雄継手金物がインサートされた製品を成形するコンクリート型枠へ雌継手金物と雄継手金物とを取り付けるコンクリート型枠への継手金物取付構造であって、雌継手金物の取付構造は、雌継手金物に設けた雄継手金物の係止溝に取付部材の係合部を係合させて、雌継手金物をコンクリート型枠の端枠の内側に設けた受座に支持させ、これに伴い受座に設けた孔に納まる取付部材へ端枠にあけた孔から引付けボルトを螺合させると雌継手金物が端板へ取り付けられ、引付けボルトを取付部材から外すと雌継手金物が端枠から離れるように構成され、雄継手金物の取付構造は、雄継手金物に設けて雌継手金物の係止溝へ係合させる係合部をコンクリート型枠の端枠にあけた孔から外へ出して、この係合部に端枠の外面に設けたガイドに沿って移動する取付部材に設けた係止溝を係合させ、前記取付部材を端枠の外側に設けた押付架台に押付けボルトを螺合して押えると雄継手金物が端板へ取り付けられ、押付けボルトを外して、取付部材を係止部が雄継手金物の係合部から外れるように移動させると雄継手金物が型枠から外れるように構成されていること。
【０００８】
請求項２に係る発明は、前記コンクリート型枠の端枠の内面に設けて雌継手金物を支持させる受座は、雌継手金物に設けた係止溝の開放側に、この開放に通ずる接合用の空間を形成する形成部材が連設されていること。
【０００９】
請求項３に係る発明は、前記雌継手金物の受座に連設する空間の形成部材は、雌継手金物との間に間隙を有して、この間隙に雌継手金物に設けた係止溝を密封するシール部材を装着されていること。
【００１０】
請求項４に係る発明は、前記コンクリート型枠の端枠に雄継手金物の係合部より大きい孔をあけて、この孔から係合部を外に出した後、該孔に雄継手金物の中間部に適合する窓孔を有する蓋板を分割構造か、一部を開閉構造に形成して嵌めることで孔を閉塞させ、窓孔と雄継手金物の中間部との隙間は窓孔に装着したシール部材で密封させたこと。
【発明の効果】
【００１１】
請求項１に係る発明の効果  雌継手金物をこれに設けた係止溝へ取付部材の係合部を係合させてコンクリート型枠の端枠に設けた受座に支持させ、取付部材へ端枠にあけた孔から引付けボルトを螺合させることで端枠へ取付け、雄継手金物をこれに設けた係合部をコンクリート型枠の端枠に設けた孔から外に出して、係合部に端枠の外側に設けたガイドに沿って移動する取付部材の係止部を係合させた後、押付架台に取付け部材の押付ボルトを螺合することで端枠へ取り付けるものであるから、継手金物の取付構造がボールスクリューを用いるものに比べて小型で単純なものとなり、継手金物の取付け及び取外しも容易且つ迅速に行なえるようになる。
【００１２】
請求項２に係る発明の効果  雌継手金物を支持する受座に雌継手金物の係止溝の開放部に通ずる空間を形成する空間形成部を連設してあるため、コンクリート製品に雌継手金物の係止溝へ雄継手金物の係合部を係合させる継手操作を行うための空間を形成することができる。
【００１３】
請求項３に係る発明の効果  雌継手金物の受座に連設した空間形成部を雌継手金物との間に隙間が出来るようにして、この隙間をシール部材を装着することで密封させれば、雌継手金物の係止溝へノロが浸入して係止溝を汚損、変形させることがない。
【００１４】
請求項４に係る発明の効果  雄継手金物の係合部を通した孔と雄継手金物の中間部との間に隙間ができても、中間部に合う窓孔を有する蓋板を複数に分割した構造、または一部を開閉する構造に形成して、窓孔の内周にシール部材を装着して置けば、蓋の取り付けによって孔の密封閉塞が行われて型枠外ヘのノロの漏れ出しを生ずることがない。
【発明を実施するための最良の形態】
【００１５】
以下に本発明に係るコンクリート型枠へ継手金物を取付ける構造の雌継手金物の実施形態を図面について説明する。
【００１６】
図１において符号１は、コンクリート型枠を示す。このコンクリート型枠１は、図２０〜図２１に一部分を示すセグメント２を成型するものであり、円弧状をなす定盤３と、この定盤３の前側と後側に配置した一対の側枠４（前側は図示せず）と、前記定盤３の左側と右側に配置した一対の端枠５とで構成される。そして、前記側枠４は下端を台部６へ枢着した一対の回動アーム７に支持させ、端枠５は台部６に設けたガイド８を進退機構９により進退される移動台１０に支持させることで、前記側枠３の起伏と端枠５の進退によって型枠１の型組み及び型ばらしが容易に行われようにしてある。
【００１７】
図２において符合Ａは、前記コンクリート型枠１の端枠５へ雌継手金物１１を取付ける雌継手金物の取付構造を示す。この取付構造Ａは、雌継手金物１１に後記雄継手金物を係合させるように設けた係止溝１２へ取付部材１３の係合部１４を係合させて、雌継手金物１１をコンクリート型枠１の端枠５の内側に設けた受座１５に支持させ、これに伴い受座１５に設けた孔１６に納まる取付部材１３の下部へ端枠５にあけた孔１７から引付ボルト１８を螺合させると雌継手金物１１が端板５へ取り付けられ、引付ボルト１８を取付部材１３から外すと雌継手金物１１が端枠５から離れるように構成されている。
【００１８】
前記雌継手金物１１は、図３、４に示す通り継手部１１ａと、アンカー取付部１１ｂとで構成されて、継手部１１ａは図３に示す通りの蟻型をなして係止溝１２の一方が図４に示す通り開放し、他端が閉塞するように設けられる。そして、この係止溝１２の後記雄継手金物に設けた係合部を支持させる係止縁１９は先上がりに傾かせてあり、アンカーの取付部１１ｂは、２つのねじ孔２０を設けて、このねじ孔２０に図２２の右側に示す通りアンカー２１のねじ部２２をねじ込むようにしてある。
【００１９】
前記雌継手金物１１の取付部材１３は、図７に示す通り前記受座１５に設けた孔１６へ収まる断面形状に形成して、上側には図６に示す通り雌継手金物１１の係止溝１２へ係合する係合部１４を、係合部１４と取付部材１３とで蟻ほぞ型が形成されて、係合縁２３が先上がりに傾くように形成する。また、下側の中央部には図６に示す通りボス２４を設けて、このボス２４に引付ボルト１８を螺合させるねじ孔２５を形成してある。
【００２０】
前記受座１５は、コンクリート型枠１における端枠５の内面へ図２、図７に示す通り取付けて、その表面へ図８（ｂ）のように雌継手金物１１の継手側１１ａの端面を当接させると、係合部１４を雌継手金物１１の係止溝１２へ係合させた取付部材１３が、受座１５にあけた孔１６内へ収まってねじ孔２５を端板５にあけた通孔１７に一致させるようにしてある。
【００２１】
図７において符号２７は、セグメント２に雌継手金物１１の係止溝１２に通ずる接合空間２８を図２０（ａ）（ｂ）に示す通り形成させる形成部材を示す。この形成部材２７は図２に示す通り、雌継手金物１１に設けた係止溝１２の開放側を閉塞し得る断面積を有して、一端は側枠４に達するが、他端は雌継手金物１１の間に図８（ｂ）に示す通り隙間２９を有する長さに形成して、この隙間２９に図８（ｃ）の通りシール部材３０を装着することで雌継手金物１１の係止溝１２を密封させるようにしてある。
【００２２】
前記構成の雌継手金物の取付構造Ａは、雌継手金物１１の係止溝１２へ図８（ａ）に実線で示す取付部材１３を仮想線で示すように挿入すると、取付部材１３における係合部１４の係合縁２３が雌継手金物１１における係止溝１２の係止縁１９へ係合するので、この状態において雌継手金物１１をコンクリート型枠１の端枠５の内面に設けた受座１５へ図８（ｂ）に示す通り乗せると、取付部材１３は受座１５に設けた孔１６に収まって、ねじ孔２５を端枠５に設けた通孔２６に一致させるので、通孔２６から引付ボルト１８を挿入して図８（ｃ）の通りねじ孔２５へねじ込めば、雌継手金物１１は取付部材１３により受座１５に圧接固定されて、接合空間２８の形成部材２７との間に隙間２９ができるので、この隙間２９に図８（ｃ）のようにシール部材３０を装着すれば、係止溝１２が密封された雌継手金物１１の端枠５への取付けが容易にできる。
【００２３】
前記の通り端枠５へ取付けられた雌継手金物１１を端枠５から取外すには、端枠５にあけた通孔１７を通して取付部材１３のねじ孔２５へ捻じ込んである引付ボルト１８を抜き取ると、取付部材１３が端枠５から離れるので、端枠５から雌継手金物１１を容易に取外すことができる。
【００２４】
次に雄継手金物の取付構造の実施形態を図面に付いて説明する。
【００２５】
図９において符号Ｂは、前記コンクリート型枠１の端枠５へ雄継手金物３１を取付ける雄継手金物の取付構造を示す。この取付構造Ｂは、雄継手金物３１に設けて雌継手金物１１の係止溝１２へ係合させる係合部３２をコンクリート型枠１の端枠５にあけた孔３３から外へ出して、この係合部３２に端枠５の外面に設けたガイド３４に沿って進退する取付部材３５に設けた係止溝３６を係合させ、前記取付部材３５を端枠５の外側に設けた押付架台３７に螺合した押付ボルト３８で押え付けると、雄継手金物３１が端枠５へ取り付けられて、押付ボルト３８を外し、取付部材３５を係止溝３６が雄継手金物３１の係合部３２から外れるように移動させると雄継手金物３１が端枠５から外れるように構成されている。
【００２６】
前記雄継手金物３１は、図１０、図１１に示す通り継手部３１ａと、アンカー取付部３１ｂとで構成されて、継手部３１ａは図１０に示す通り、板状部の先端に両側へ係合縁３９が張り出す蟻型の係合部３２を設けて、この係合部３２の係合縁３９を先上りに傾かせてあり、アンカー取付部３１ｂは、２つのねじ孔４０を設けて、これらねじ孔４０へ図２２の通りアンカー４１のねじ４２をねじ込むようにしてある。
【００２７】
前記雄継手金物１１の取付部材３５は、図１２、図１３に示す通り、上側に雄継手金物３１の係合部３２に適合する蟻型をなした係止溝３６を一端が開放するように設けられて、この係止溝３６の前記係合縁３９へ係合する係止縁４３は先上がりに傾かせてあり、前記係止溝３６の下側壁の中央部には押付ボルト３８の通孔４４をあけ、係止溝３６の閉塞端側には図９に示す取付部材３５の取付ボルト４５を通す通孔４６を設けて、この通孔４６に通した取付ボルト４５を前記ガイド３４に図１３に示す通り設けたねじ孔４７へ締め込むことで取付部材３５の固定が行なわれるようにしてある。
【００２８】
前記ガイド３４は、図１２、図１３に示す通りコンクリート型枠１の端枠５にあけて雄継手金物３１を外へ出す孔３３に芯合わせして取付部材３５を挟み入れるように端枠５の外側に設け、前記孔３３から雄継手金物３１が出る部分の外側には、図１４に示す通り支柱４８に支持させることでガイド３４上に跨らせた押付架台３７を設けて、押付架台３７の中心部に雄継手金物３１の係合部３２に対応するねじ孔４９を設けてある。
【００２９】
図１６及び図１７において符号５０は、コンクリート型枠１の端枠５にあけて雄継手金物３１の接合部３１ａを外へ出す孔３３を塞ぐ蓋板を示す。この蓋板５０は、端枠５に図１５に示す通りあけた孔３３の上側に廻し設けた段部５１に嵌合する外形を有し、内側には雄継手金物３１の板状部が収まるを内孔５２を有する形状に形成する。そして、この蓋板５０は上半分５０ａと下半分５０ｂに分割形成して、下半分５０ｂをヒンジ５３により開閉可能に上半分５１ａへ取り付けることで、図１６に鎖線で示すように下半分５０ｂを開いて、内孔５２へ雄継手金物３１の板状部を収まらせた後、実線で示すように閉じて段部５１へ嵌め込むと、所定の間隔で埋め込まれている磁石５４で端板５へ吸着固定されて、しかも、蓋板５０の内孔５２の周囲には図１７に示す通り溝５５が形成され、この溝５５にシール部材５６が装着されるので、内孔５２と雄継手金物３１の板状部との間隙も確実にシールされる。
【００３０】
前記構成の雌継手金物の取付構造Ｂは、図１８（ａ）に実線で示す雄継手金物３１の係合部３２を仮想線で示すように端枠５の孔３３から端枠５の外へ出して、図１８（ｂ）に実線で示す取付部材３５をガイド３４に案内させて鎖線で示す位置に移動させると、取付部材３５に設けた係止溝３６が雄継手金物３１の係合部３２に係合して係合部３２を支持するので、この状態において取付部材３５にあけた通孔４６へ図１９（ａ）に示す通り取付ボルト４５を通し、ガイド３４に設けたねじ孔４７へ捻じ込んで取付部材３５をガイド３４へ固定する。そして、押付架台３７に設けたねじ孔４９に押付ボルト３８を捻じ込み、雄継手金物３１の係合部３２を取付部材３５の係止溝３６へ押し付ければ、雄継手金物３１は端枠５へ取付けられるから、これに伴い、端枠５の孔３３の段部５１へ図１９（ｂ）に示す通りに蓋板５０を嵌合すれば、端枠５の孔３３が閉塞される雄継手金物３１の端枠５への取付けが容易にできる。
【００３１】
前記の通り端枠５へ取付けられた雄継手金物３１を端枠５から取外すには、押付架台３７のねじ孔４９へ捻じ込んだ押付ボルト３８を外して、雄継手金物３１の係合部３２を取付部材３５の係止溝３６へ押し付ける力を解いて、取付部材３５をガイド３４に固定している取付ボルト４５を外し、ガイド３４から取付部材３５を引き抜けば、係止溝３６が係合部３２から外れるため端枠５から雄継手金物３１を容易に取外すことができる。
【００３２】
前記取付構造Ａ及び取付構造Ｂで雌継手金物１１と雄継手金物３１をコンクリート型枠１の端枠５へ取り付けて、コンクリート型枠１へコンクリートの打設を行えば、図２０（ａ）（ｂ）に示す通り、接合する端縁２ａに雌継手金物１１と雄継手金物３１がインサートされたセグメント２が成形される
。そこで、２つのセグメント２の端縁２ａを図２０（ａ）に示す通り、一方の接合空間２８に他方の雄継手金物３１が位置するように当接させて置いて、一方のセグメント２をインサートされた雄継手金物３１の係合部３２が他方のセグメント２にインサートされた雌継手金物１１の係止溝１２へ入り込むように移動させると、雌継手金物１１の係止溝１２へ雄継手金物３１の係合部３２が図２２に示す通り係合して端縁２ａ、２ａの引付けを行うため、２つのセグメント２、２は端縁２ａが密着するように強力に接合される。
【００３３】
また、前記取付構造Ａ及び取付構造Ｂによれば、セグメント２の端縁２ａが図２１（ａ）（ｂ）に示す通りセグメント２の軸心に対して斜交する場合も、雌継手金物１１は端枠５に設ける受座１５と、空間２８の形成部材２７とを雌継手金物１１が軸心と平行するように支持される形状に変更し、雄継手金物３１に対しては、端枠５の内側へ雄継手金物３１を軸心と平行するように支持する補正座（図面省略）を設ければ、端板５へ雌継手金物１１と雄継手金物３１を図２１（ａ）に示す通りセグメント２の軸心と平行するように取り付けて、雌継手金物１１と雄継手金物３１がインサートされたセグメント２を形成し、雌継手金物１１と雄継手金物３１の係合によって図２１（ｂ）に示す通りに接合することができる。
【産業上の利用可能性】
【００３４】
本発明に係るコンクリート型枠への継手金物取付構造は、端縁に雄、雌の継手金物をインサートして、継手金物の係合により所要数を接合して暗渠やトンネル等を構成させるコンクリートセグメント
、その他の製品の製造に利用できる。
【図面の簡単な説明】
【００３５】
【図１】コンクリート型枠への継手金物取付構造を適用する型枠の断面図
【図２】雌継手金物をコンクリート型枠へ取付ける取付構造の実施形態を示す断面図
【図３】雌継手金物の正面図
【図４】同上の中央断面図
【図５】雌継手金物の取付部材を示す正面図
【図６】同上の下側面図
【図７】雌継手金物の受座と接合空間の形成部材とを示す平面図
【図８】（ａ）（ｂ）（ｃ）は、雌継手金物をコンクリート型枠の端枠に支持させる状態と固定する状態と隙間をシールする状態とを示す説明図
【図９】雄継手金物をコンクリート型枠へ取付ける取付構造の実施形態を示す断面図
【図１０】雄継手金物の背面図
【図１１】同上の平面図
【図１２】（ａ）（ｂ）は、雄継手金物の取付部材を示す断面図と正面図
【図１３】端枠の外側に設けた取付部材のガイドと押付架台を示す下側面図
【図１４】同上の断面図
【図１５】端枠に設けて雄継手金物を通す孔の平面図
【図１６】孔を塞ぐ蓋板の平面図
【図１７】同上の断面図
【図１８】（ａ）（ｂ）は、雄継手金物をコンクリート型枠の端枠に支持させる状態を示す説明図。
【図１９】（ａ）（ｂ）は、端枠に支持させた雄継手金物を固定する状態と、隙間をシールする状態とを示す説明図。
【図２０】（ａ）（ｂ）は、軸心と平行する端枠へ雌継手金物と雄継手金物を取付けて成形したセグメントを継手金物で接合する状態の説明図。
【図２１】（ａ）（ｂ）は、軸心と斜交する端枠へ雌継手金物と雄継手金物を取付けて成形したセグメントを継手金物で接合する状態の説明図。
【図２２】雌継手金物の係止溝に雄継手金物の係合部を係合させて、セグメントを接合した状態を示す説明図。
【符号の説明】
【００３６】
Ａ  雌継手金物の取付構造
１  コンクリート型枠
２  セグメント
５  端枠
１１  雌継手金物
１２  係止溝
１３  取付部材
１４  係合部
１５  受座
１６  孔
１８  引付ボルト
Ｂ  雄継手金物の取付構造
３１  雄継手金物
３２  係合部
３３  孔
３４  ガイド
３５  取付部材
３６  係止溝
３７  押付架台
３８  押付ボルト
【図１】
2007290326.tif 000003
【図２】
2007290326.tif 000004
【図３】
2007290326.tif 000005
【図４】
2007290326.tif 000006
【図５】
2007290326.tif 000007
【図６】
2007290326.tif 000008
【図７】
2007290326.tif 000009
【図８】
2007290326.tif 000010
【図９】
2007290326.tif 000011
【図１０】
2007290326.tif 000012
【図１１】
2007290326.tif 000013
【図１２】
2007290326.tif 000014
【図１３】
2007290326.tif 000015
【図１４】
2007290326.tif 000016
【図１５】
2007290326.tif 000017
【図１６】
2007290326.tif 000018
【図１７】
2007290326.tif 000019
【図１８】
2007290326.tif 000020
【図１９】
2007290326.tif 000021
【図２０】
2007290326.tif 000022
【図２１】
2007290326.tif 000023
【図２２】
2007290326.tif 000024